(57)【要約】  本発明は、各々が各配線基板に搭載され、所定の向きで相互に押し合わされることによって互いに嵌り合って配線基板間を電気的に接続する第１コネクタと第２コネクタとからなるスタッキングコネクタにおいて、第１コネクタが、所定の向きと同じ向きに突出した突起部を有するものであり、第２コネクタが、所定の向きと交わる方向の回動軸を中心に回動自在な、第１コネクタと第２コネクタが押し合わされるときに第１の箇所が前記突起部に押されて回動する回動部と、回動部を隠蔽する壁部であって、第１コネクタと第２コネクタとの嵌合が完了した場合に回動部の第２の箇所がその回動部の回動によって到達する位置に開口が穿たれた壁部とを有するものであることを特徴とするスタッキングコネクタ。【特許請求の範囲】
【請求項１】
各々が各配線基板に搭載され、所定の向きで相互に押し合わされることによって互いに嵌り合って配線基板間を電気的に接続する第１コネクタと第２コネクタとからなるスタッキングコネクタにおいて、
前記第１コネクタが、前記所定の向きと同じ向きに突出した突起部を有するものであり、
前記第２コネクタが、
前記所定の向きと交わる方向の回動軸を中心に回動自在な、前記第１コネクタと前記第２コネクタが押し合わされるときに第１の箇所が前記突起部に押されて回動する回動部と、
前記回動部を隠蔽する壁部であって、前記第１コネクタと前記第２コネクタとの嵌合が完了した場合に前記回動部の第２の箇所が該回動部の回動によって到達する位置に開口が穿たれた壁部とを有するものであることを特徴とするスタッキングコネクタ。
【請求項２】
前記回動部が、前記第２の箇所に、前記壁部の色とは異なる色が着色されているものであることを特徴とする請求項１記載のスタッキングコネクタ。
【発明の詳細な説明】
【技術分野】
【０００１】
本発明は、互いに嵌り合って配線基板間を電気的に接続する第１コネクタと第２コネクタとからなるスタッキングコネクタに関する。
【背景技術】
【０００２】
現代の社会では、半導体技術の発展とともに、コンピュータやオーディオ・ビデオ機器などの様々な電子機器が普及するようになってきている。こうした電子機器の多くは、ＩＣやＬＳＩといった集積回路を有する電子回路を搭載した基板が複数枚内蔵されており、こうした基板上の電子回路の性能が、電子機器の高性能化や小型化に重要な役割を果たしている。【０００３】
このような電子機器では、異なる基板上の電子回路を互いに電気的に接続するため、各基板上にコネクタを設け、接続時には、それぞれのコネクタ同士を嵌合させて基板同士を電気的に接続するということが行われている。このとき嵌合が不十分だと、接触不良が起きたり、ちょっとした衝撃で嵌合が外れてしまうなどの問題が生じる。  このため、コネクタの中には、嵌合が行われると突起状の識別子がコネクタ上に設けられた小さな開口部から突出して現れる機構を備えることで、完全に嵌合されたことを基板の接続作業を行うユーザに伝えるコネクタもある（たとえば、特許文献１〜特許文献４参照）。
【特許文献１】特開平６−２７５３４０号公報
【特許文献２】実開平６−７２１７８号公報
【特許文献３】特開平７−２８８１５７号公報
【特許文献４】特開平１１−２６０４８４号公報
【発明の開示】
【発明が解決しようとする課題】
【０００４】
このようなコネクタは、嵌合が行われる際の外力を利用して嵌合のタイミングにぴったり合わせて突起状の識別子が小さな開口部から突出させる精巧な仕掛けを備えており、このため、複雑な形状をした部品が組み合わされた複雑な構成を必要とし、部品点数も多くなる。【０００５】
本発明は、上記事情に鑑み、完全に嵌合されたことが確認できる、簡素な構成のスタッキングコネクタを提供することを目的とする。
【課題を解決するための手段】
【０００６】
上記目的を達成するための本発明のスタッキングコネクタは、
各々が各配線基板に搭載され、所定の向きで相互に押し合わされることによって互いに嵌り合って配線基板間を電気的に接続する第１コネクタと第２コネクタとからなるスタッキングコネクタにおいて、
上記第１コネクタが、上記所定の向きと同じ向きに突出した突起部を有するものであり、
上記第２コネクタが、
上記所定の向きと交わる方向の回動軸を中心に回動自在な、上記第１コネクタと上記第２コネクタが押し合わされるときに第１の箇所が上記突起部に押されて回動する回動部と、
上記回動部を隠蔽する壁部であって、上記第１コネクタと上記第２コネクタとの嵌合が完了した場合に上記回動部の第２の箇所が該回動部の回動によって到達する位置に開口が穿たれた壁部とを有するものであることを特徴とする。【０００７】
本発明のスタッキングコネクタでは、コネクタが完全に挿入されると識別子が回転するというきわめて簡単な構成でコネクタ同士が完全に嵌合されたことが確認できる。【０００８】
また、本発明のスタッキングコネクタにおいて、「上記回動部が、上記第２の箇所に、上記壁部の色とは異なる色が着色されているものである」という形態は、好ましい形態である。【０００９】
このような形態のスタッキングコネクタにより、識別子が最大限回転したことが視認しやすくなり、コネクタが完全に挿入されたことがより明確に確認される。
【発明の効果】
【００１０】
本発明のスタッキングコネクタによれば、簡素な構成で完全に嵌合されたことが確認できる。
【図面の簡単な説明】
【００１１】
【図１】本実施形態のスタッキングコネクタのメス型コネクタの外観図である。
【図２】本実施形態のスタッキングコネクタのオス型コネクタの外観図である。。
【図３】図２に示すオス型コネクタにおいて、嵌合が行われる前のオス型コネクタの側面の断面図である。
【図４】完全に嵌合が行われた時のオス型コネクタの側面の断面図である。
【発明を実施するための最良の形態】
【００１２】
以下図面を参照して本発明の実施の形態を説明する。【００１３】
本実施形態のスタッキングコネクタは、凹部を有し、この凹部内に複数のピンを備えたコネクタ（以下、オス型コネクタと呼ぶ）と、凸部を有し、この凸部内にオス型コネクタのピンがそれぞれ挿し込まれる挿込部を有するコネクタ（以下、メス型コネクタと呼ぶ）とから構成されている。【００１４】
図１は、本実施形態のスタッキングコネクタのメス型コネクタの外観図、図２は、本実施形態のスタッキングコネクタのオス型コネクタの外観図である。【００１５】
図１に示すメス型コネクタ１や図２に示すオス型コネクタ２は、電子機器に搭載されるプリント基板上にそれぞれ配置されるコネクタであり、図１に示すメス型コネクタ１と図２に示すオス型コネクタ２とを嵌合させることで、メス型コネクタ１が配置されたプリント基板と、オス型コネクタ２が配置されたプリント基板とが電気的に接続される。この状態では、スタッキングコネクタは２枚の基板間にはさまれた状態になる。【００１６】
図１に示すように、メス型コネクタ１は、コネクタ台１０の上に直方体状の凸部１２が設けられた構成を持つ。この凸部１２は、直方体状の箱の内側に等間隔に仕切りが設けられた構造をしており、この仕切りで区切られた小部屋は、図２に示すオス型コネクタのピン２１が挿し込まれる挿込部１１となっている。各挿込部１１の、図示しない底面には、電気配線が敷かれており、この電気配線は、コネクタ台１０の内部を通過してメス型コネクタ１の備えられている基板上の電子回路とつながっている。【００１７】
図２に示すように、オス型コネクタ２は、凹部２２を有しており、この凹部２２の内側には、図１に示す挿込部１１に挿し込まれるピン２１が設けられている。各ピンは、図示しない、凹部の底面に備えられた電気配線と接続されており、この電気配線は、オス型コネクタ２の備えられている基板上の電子回路とつながっている。【００１８】
図１に示すメス型コネクタ１の凸部１２は、図２に示すオス型コネクタ２の凹部２２に嵌合する構成となっており、この嵌合の際には、凸部１２内に設けられた挿込部１１それぞれに対して、凹部２２の内側に備えられたピン２１がそれぞれ嵌り込むことになる。このようなメス型コネクタ１とオス型コネクタ２との嵌合により、メス型コネクタ１の備えられている基板上の電子回路と、オス型コネクタ２の備えられている基板上の電子回路とが電気的に接続されることとなる。【００１９】
このとき嵌合が不十分だと、電気的な接触不良が起きたり、ちょっとした衝撃で嵌合が外れてしまうなどの問題が生じることがある。このような問題が生じることを回避するため、このメス型コネクタ１およびオス型コネクタ２には、嵌合が完全に行われたことを人間に伝える機構を備えている。以下では、この機構を実現するための構成要素とその作用について説明する。【００２０】
図１に示すメス型コネクタ１には、凸部１２とは別に、コネクタ台１０の上に、Ｌ字型の突出部１３が設けられており、一方、図２に示すオス型コネクタ２の凹部２２のへり上には、Ｌ字型の挿入部２３が設けられている。Ｌ字型の挿入部２３の内側は、図２で上から下の向きに伸びた空洞となっており、この空洞内には、この空洞を外側から覆っている２つの側壁３０ａ，３０ｂそれぞれに沿って、回動軸２６ａ,２６ｂをそれぞれ中心として回動する、図で点線で示す回動部２５ａ，２５ｂが備えられている。【００２１】
ここで、メス型コネクタ１が、本発明にいう第１コネクタの一例に相当し、オス型コネクタ２が、本発明にいう第２コネクタの一例に相当し、側壁３０ａ，３０ｂが本発明にいう壁部の一例に相当する。また、突出部１３が本発明にいう突起部の一例に相当し、回動部２５ａ，２５ｂが本発明にいう回動部の一例に相当する。【００２２】
メス型コネクタ１が、オス型コネクタ２に嵌合する際には、突出部１３が、Ｌ字型の挿入部２３に入り込み、２つの回動部２５ａ，２５ｂの一端をそれぞれ図において矢印ＡおよびＢで示す方向に押すことによって、２つの回動部２５ａ，２５ｂが回転して、これらの回動部２５ａ，２５ｂのもう一端が、図において矢印ＣおよびＤで示す方向に回転する。このとき十分に嵌合が行われると、この矢印ＣおよびＤで示す方向に回転した２つの回動部２５ａ，２５ｂの一部が、２つの側壁３０ａ，３０ｂそれぞれに設けられた表示窓部２４ａ，２４ｂから認識されることとなる。以下では、この様子を、２つの回動部２５ａ，２５ｂのうち、図の右側に示されている方の回動部２５ａが回転する様子を例にとって説明する。【００２３】
図３は、図２に示すオス型コネクタにおいて、嵌合が行われる前のオス型コネクタの側面の断面図、図４は、完全に嵌合が行われた時のオス型コネクタの側面の断面図である。【００２４】
図３では、Ｌ字型の挿入部２３の断面が、図において点線で表されており、この挿入部２３の底に、図２に示す回動部２５ａが設けられている。この回動部２５ａは、この図に対し垂直な方向に伸びる回動軸２６ａにより、中心部分が回動自在に支持されている。図に示すように、回動部２５ａのうち、回動軸２６ａより右側の部分（以下、右側部分と呼ぶ）２９ａは、回動軸２６ａより左側の部分（以下、左側部分と呼ぶ）２８ａよりも大きくて重たいため、嵌合が行われる前は、回動部２５ａの右側部分２９ａが、挿入部２３の底に沿って水平に寝た姿勢をとり、回動部２５ａの左側部分２８ａが、左上を向いた姿勢となる。【００２５】
嵌合が行われる時には、図で一点鎖線で示す突出部１３が上側から挿入されて回動部２５ａの左側部分２８ａに接触し、この左側部分２８ａを、矢印Ａで示す方向に押す。この結果、回動部２５ａの右側部分２９ａが、矢印Ｃで示す方向に回転する。図４では、完全に嵌合が行われて突出部１３が挿入部２３内に最大限に深く入り込み、回動部２５ａの右側部分２９ａが、最大限上方（図３の矢印Ｃの方向）に向けて回転した様子が示されている。右側部分２９ａの先端部分２７ａには、黄色に着色が施されており、右側部分２９ａが最大限上方（図３の矢印Ｃの方向）に向けて回転した状態では、この黄色に着色された先端部分２７ａが、オス型コネクタ２の側面上に設けられた表示窓部２４ａから現れて外部から人間の目で認識される。このため、２枚の基板にはさまれた状態であってもコネクタの嵌合確認が容易である。また、凹部２２は、全体が白色であるため、この黄色に着色された先端部分２７ａが周囲の凹部２２の白色に比べて目立つことで、先端部分２７ａが人間の目で明確に認識されやすい構成となっている。図３に示す嵌合が行われる前の状態や、嵌合が不十分で回動部２５ａの右側部分２９ａが、最大限上方に回転していない状態では、この表示窓部２７ａから先端部分２７ａが認識されないため、このように表示窓部２４ａにおいて先端部分２７ａが認識されたことをもって、完全に嵌合が行われたことを正確に判定することができる。以上において、表示窓部２４ａ，２４ｂで囲まれた開口が、本発明にいう開口の一例となっている。【００２６】
メス型コネクタ１とオス型コネクタ２が解離する時には、図４に示す突出部１３が外れて、重さのバランスにより回動部２５ａ右側部分２９ａが図４で矢印Ｅで示す方向に回転して、回動部２５ａは、再び図３に示す位置に戻ることとなる。【００２７】
以上が、本発明の実施形態についての説明である。【００２８】
このように、以上説明した、メス型コネクタ１およびオス型コネクタ２からなるスタッキングコネクタでは、簡素な構成でコネクタ同士が完全に嵌合したことを確認することが可能となる。【００２９】
また、このスタッキングコネクタでは、折れ曲がった形状をした回動部２５ａ，２５ｂを用いたが、本発明のコネクタは、同じように回動軸をてこの支点として回動するものであれば、回動部の形状は、このような形状に限定されない。例えば、回動軸をてこの支点として回動する棒状の回動部であってもよい。
【図１】
2006134632.tif 000002
【図２】
2006134632.tif 000003
【図３】
2006134632.tif 000004
【図４】
2006134632.tif 000005
【手続補正書】
【提出日】平成19年12月11日(2007.12.11)
【手続補正１】
【補正対象書類名】特許請求の範囲
【補正対象項目名】全文
【補正方法】変更
【補正の内容】
【特許請求の範囲】
【請求項１】
各々が各配線基板に搭載され、所定の向きで相互に押し合わされることによって互いに嵌り合って配線基板間を電気的に接続する第１コネクタと第２コネクタとからなるスタッキングコネクタにおいて、
前記第１コネクタが、前記所定の向きと同じ向きに突出した突起部を有するものであり、
前記第２コネクタが、
前記所定の向きと交わる方向の回動軸を中心に回動自在な、前記第１コネクタと前記第２コネクタが押し合わされるときに第１の箇所が前記突起部に押されて回動する回動部と、前記回動部を隠蔽する壁部であって、前記第１コネクタと前記第２コネクタとの嵌合が完了した場合に前記回動部の第２の箇所が該回動部の回動によって到達する位置に開口が穿たれた壁部との組を、該開口の向きが異なるものを含んで複数組有するものであることを特徴とするスタッキングコネクタ。
【請求項２】
前記回動部が、前記第２の箇所に、前記壁部の色とは異なる色が着色されているものであることを特徴とする請求項１記載のスタッキングコネクタ。
【国際調査報告】
2006134632.tif 000006
2006134632.tif 000007
2006134632.tif 000008
2006134632.tif 000009